(57)【要約】【課題】通常の監視状態の中で、アドレスの重複を判別した場合、アドレスが重複して付与されている端末機器を容易に発見することができる火災報知設備を提供することを目的とする。【解決手段】火災受信機は、各端末機器との間でアドレスに基づく信号伝送を行う伝送回路と、信号の誤応答が複数回あることを認識すると、この複数回誤応答したアドレスを重複アドレスであると判別し、この重複アドレスを表示手段に表示させる制御手段と、アドレスを指定するアドレス指定手段とを有し、制御手段は、上記表示手段に表示されている重複アドレスが、上記アドレス指定手段を介して指定されたときに、この指定された重複アドレスが付与されている端末機器の表示灯を点灯させる点灯信号を、上記伝送回路から送信する手段であり、端末機器は、自己に付与されているアドレスに対応する上記点灯信号を受信し、表示灯を点灯する表示灯点灯手段を有する。【選択図】図５
2007317046.tif 000002
【特許請求の範囲】
【請求項１】
伝送線を介した火災受信機と複数の端末機器とからなる火災報知設備において、
上記火災受信機は、
各端末機器との間で、アドレスに基づく信号伝送を行う伝送回路と；
信号の誤応答が複数回あることを認識すると、この複数回誤応答したアドレスを重複アドレスであると判別し、この重複アドレスを表示手段に表示させる制御手段と；
アドレスを指定するアドレス指定手段と；
を有し、上記制御手段は、上記表示手段に表示されている重複アドレスが、上記アドレス指定手段を介して指定されたときに、この指定された重複アドレスが付与されている端末機器の表示灯を点灯させる点灯信号を、上記伝送回路から送信する手段であり、
上記端末機器は、
自己に付与されているアドレスに対応する上記点灯信号を受信し、表示灯を点灯する表示灯点灯手段を有する機器であることを特徴とする火災報知設備。
【請求項２】
請求項１において、
上記制御手段は、所定回数の呼出に対して複数回の誤応答があるときに、重複アドレスであると判別する手段であることを特徴とする火災報知設備。
【請求項３】
請求項１において、
上記制御手段は、アドレス指定手段を介して、上記アドレスが再指定されると、この再指定されたアドレスが付与されている端末機器の表示灯を消灯させる消灯信号を、上記伝送回路を介して送信する手段であり、
上記端末機器は、自己に付与されているアドレスに対応する上記消灯信号を受信すると、上記表示灯を消灯する手段を有することを特徴とする火災報知設備。
【発明の詳細な説明】
【技術分野】
【０００１】
本発明は、火災報知設備に関する。
【背景技術】
【０００２】
同一アドレスが重複して付与されていることを検出する機能を有する火災受信機が知られている（たとえば、特許文献１、特許文献２参照）。
【０００３】
火災受信機の端末である感知器や中継器のアドレスが間違って重複して付与されていた場合、火災受信機の表示部に、その重複アドレスを表示し、また、「誤応答」の文字を表示する。ただし、誤応答の信号は、周期不定でＯＮ／ＯＦＦを繰り返すので、火災受信機の表示部における表示がＯＮ／ＯＦＦする。
【特許文献１】特開平０８−１０６５９１号公報
【特許文献２】特開平０８−２２１６７３号公報
【発明の開示】
【発明が解決しようとする課題】
【０００４】
上記従来例において、伝送線を介して、火災受信機と複数の端末機器とが信号伝送し、複数台の端末機器に同じアドレスが重複して付与されている場合、この重複アドレスが付与されている端末機器を探すには、接続されている端末機器のアドレス設定を、１台ずつ確認する必要がある。アドレスは、１系統にたとえば最大２５５個存在し、また、端末機器が１箇所にまとまっていることはなく、中継器は、通常、複数の中継器盤に納められ、感知器に至っては、天井に個々に配置されているので、端末機器を１つずつ、アドレス確認するには、その作業に大きな時間がかかる。
【０００５】
上記従来例において、火災受信機が、アドレスの重複付与を検出し、重複アドレスを表示するが、アドレスが重複して付与されている端末機器を見つけることは困難である。
【０００６】
つまり、上記従来例では、通常の監視状態の中で、アドレスの重複を判別した場合、アドレスが重複して付与されている端末機器を発見することが困難であるという問題がある。
【０００７】
本発明は、通常の監視状態の中で、アドレスの重複を判別した場合、アドレスが重複して付与されている端末機器を容易に発見することができる火災報知設備を提供することを目的とする。
【課題を解決するための手段】
【０００８】
本発明は、伝送線を介した火災受信機と複数の端末機器とからなる火災報知設備において、上記火災受信機は、各端末機器との間でアドレスに基づく信号伝送を行う伝送回路と、信号の誤応答が複数回あることを認識すると、この複数回誤応答したアドレスを重複アドレスであると判別し、この重複アドレスを表示手段に表示させる制御手段と、アドレスを指定するアドレス指定手段とを有し、上記制御手段は、上記表示手段に表示されている重複アドレスが、上記アドレス指定手段を介して指定されたときに、この指定された重複アドレスが付与されている端末機器の表示灯を点灯させる点灯信号を、上記伝送回路から送信する手段であり、上記端末機器は、自己に付与されているアドレスに対応する上記点灯信号を受信し、表示灯を点灯する表示灯点灯手段を有する機器である。
【発明の効果】
【０００９】
本発明によれば、通常の監視状態の中で、アドレスの重複を判別した場合、アドレスが重複して付与されている端末機器を容易に発見することができるという効果を奏する。
【発明を実施するための最良の形態】
【００１０】
発明を実施するための最良の形態は、以下の実施例である。
【実施例１】
【００１１】
図１は、本発明の実施例１である火災受信機ＲＥ１を含む火災報知設備ＦＡ１のシステム構成を示すブロック図である。
【００１２】
火災報知設備ＦＡ１は、端末機器として、差動式スポット型感知器ＳＥ１と、光電式スポット型感知器ＳＥ２と、熱アナログ感知器ＳＥ３と、光電式アナログ感知器ＳＥ４と、アドレッサブル発信機ＳＥ５と、ショートサーキットアイソレータＳＣＩと、防排煙制御用中継器Ｃ１と、火災監視用中継器Ｃ２、Ｃ３、Ｃ８と、地区音響制御用中継器Ｃ４と、ガス漏れ検知用中継器Ｃ５と、防排煙制御用中継器Ｃ６と、中継器Ｃ７とを有する。これらは、伝送線３（１系統）を介して、火災受信機ＲＥ１に接続されている。
【００１３】
また、火災報知設備ＦＡ１は、各中継器に接続される機器として、一般型感知器ＳＥ６、ＳＥ７、ＳＥ８と、ガス漏れ検知器ＳＥ９と、Ｐ型発信機Ｇ１、Ｇ２と、地区ベルＢＬと、防排煙機器（設備）ＤＳ１、ＤＳ２とを有する。
【００１４】
差動式スポット型感知器ＳＥ１は、いわゆる熱感知器であって、火災による熱（温度上昇）を検出して火災と判別されるときに、火災信号を送信する。光電式スポット型感知器ＳＥ２は、いわゆる煙感知器であって、火災による煙を検出して火災と判別されるときに、火災信号を送信する。熱アナログ感知器ＳＥ３は、熱感知器の一種であって、火災による熱を検出するために、周囲温度のアナログ値を送信する。
【００１５】
光電式アナログ感知器ＳＥ４は、煙感知器の一種であって、煙のアナログ値を送信する。アドレッサブル発信機ＳＥ５は、いわゆる火災発信機であって、火災の発見者が手動操作する押しボタンを備え、火災信号を送信する。
【００１６】
ショートサーキットアイソレータＳＣＩは、後段の伝送線の短絡発生時に、後段の伝送線を切り離す装置であって、通常、信号伝送の必要はないが、火災受信機ＲＥ１からの復旧信号を受信し、復旧するものもある。ここでは、後段の伝送線の短絡解消時に、回復信号を送信する。
【００１７】
防排煙制御用中継器Ｃ１は、火災受信機ＲＥ１からの制御信号を受信して、接続される防排煙機器ＤＳ１を制御する。火災監視用中継器Ｃ２、Ｃ３は、信号線を介して一般型感知器または火災発信機が接続され、それらからの火災信号（スイッチング動作）を受信して、火災信号を送信する。火災監視用中継器Ｃ２は、自動試験機能付火災感知器を接続することができる。
【００１８】
地区音響制御用中継器Ｃ４は、火災受信機ＲＥ１からの制御信号を受信して、接続されている地区ベルＢＬを鳴動させる。ガス漏れ検知用中継器Ｃ５は、信号線を介してガス漏れ検知器ＳＥ９が接続され、信号（スイッチング動作）を受信して、ガス漏れ信号を送信する。
【００１９】
防排煙制御用中継器Ｃ６は、防排煙制御用中継器Ｃ１と同様である。中継器Ｃ７は、従来の中継器である。火災監視用中継器Ｃ８は、火災監視用中継器Ｃ３と同様である。
【００２０】
火災受信機ＲＥ１は、伝送線３（３−１）を介して、端末機器ＳＥ１〜ＳＥ５、ＳＣＩ、Ｃ１〜Ｃ８と接続されている。
【００２１】
図２は、火災報知設備ＦＡ１に使用されている光電式スポット型感知器ＳＥ２を示すブロック図である。
【００２２】
光電式スポット型感知器ＳＥ２は、端末機器の一例であり、マイコン（マイクロコンピュータ）１０と、ＲＯＭ２０と、ＲＡＭ２１と、ＥＥＰＲＯＭ２２と、ＥＥＰＲＯＭ２３と、発光回路３０と、発光素子３１と、増幅回路４０と、受光素子４１と、サンプルホールド回路４２と、送受信回路（伝送回路）５０と、確認灯５１と、定電圧回路６０と、ＲＡＭの不定領域７０と、乱数記憶用ＲＡＭ７１と、クロック発生源ＣＬとを有する。
【００２３】
ここで、発光回路３０、発光素子３１、増幅回路４０、受光素子４１、サンプルホールド回路４２以外の構成は、各端末機器ＳＥ１〜ＳＥ５、ＳＣＩ、Ｃ１〜Ｃ８に共通の構成である。
【００２４】
マイコン１０は、光電式スポット型感知器ＳＥ２の全体を制御するものである。
【００２５】
ＲＯＭ２０は、プログラム格納領域であり、ＲＡＭ２１は、サンプルホールド回路４２の出力レベルＳＬＶなどを格納する作業領域である。
【００２６】
ＥＥＰＲＯＭ２２は、光電式スポット型感知器ＳＥ２の自身の自己アドレスを格納するアドレス設定部である。ＥＥＰＲＯＭ２２の代わりに、ディップスイッチをアドレス設定部として使用するようにしてもよい。
【００２７】
ＥＥＰＲＯＭ２３は、増幅回路４０の出力レベル（実際には、サンプルホールド回路４２の出力レベルＳＬＶ）によって火災と判断する火災判断レベル等、各設定値を記憶するものである。
【００２８】
発光回路３０は、マイコン１０から発光制御パルスを受けたときに発光素子３１に発光用の電流パルスを供給するものであり、増幅回路４０は、受光素子４１の出力レベルを所定の増幅率で増幅するものである。
【００２９】
送受信回路５０は、マイコン１０から火災受信機ＲＥ１に火災信号、応答信号等の信号を送出する送信回路と、火災受信機ＲＥ１からポーリングによる呼び出し信号等の信号を受けマイコン１０に送る受信回路とを有するものである。また、確認灯（表示灯）５１は、火災受信機ＲＥ１からのアドレス重複による点灯信号により点灯するものであり、また、火災検出したときに点灯するものである。
【００３０】
定電圧回路６０は、伝送線３（電源兼信号線）を介して火災受信機ＲＥ１から感知器ＳＥ２に供給された電圧を、マイコン１０等に必要な定電圧にして供給する回路である。
【００３１】
また、ＲＡＭの不定領域７０と、乱数記憶用ＲＡＭ７１と、クロック発生源ＣＬとを有する。
【００３２】
ＲＡＭの不定領域７０は、ＲＡＭの領域のうちで、初期化される前の領域であり、その領域内には規則性のないデータが存在する。
【００３３】
乱数記憶用ＲＡＭ７１は、発生された乱数を記憶する領域であり、乱数計算用の方程式に基づいて新たな乱数が発生される度に、記憶される乱数が更新されるものである。
【００３４】
そして、マイコン１０とＲＯＭ２０とは、火災受信機ＲＥ１が送出するアドレスのうちの自己アドレスに基づいて火災受信機ＲＥ１に呼び出されたときから、端末機器が火災受信機ＲＥ１に応答するまでの遅延時間を、ＲＡＭの不定領域７０内の所定データに基づいて設定する遅延時間設定手段の例であり、また、自己アドレスに基づいて火災受信機ＲＥ１に呼び出されたときから、遅延時間経過後に火災受信機ＲＥ１に応答する応答手段の例でもある。上記遅延時間設定手段は、火災受信機ＲＥ１に応答する度に、遅延時間を異ならせる手段である。
【００３５】
次に、上記遅延時間設定について説明する。
【００３６】
図６は、マイクロプロセッサ１０の動作を示すフローチャートである。
【００３７】
まず、電源立ち上げ時に、ＲＡＭの不定領域７０から４バイトのデータを読み取り（Ｓ３１）、この読み取った４バイトのデータを加算等の演算を行い、１バイトのデータを求め、この求めた１バイトのデータを乱数初期値とする（Ｓ３２）。そして、この求めた乱数初期値を、乱数計算用の方程式に代入し、１つ目の乱数を発生し、この発生した乱数を、乱数記憶用ＲＡＭ７１に記憶する（Ｓ３３）。このように、１つ目の乱数を乱数記憶用ＲＡＭ７１に記憶することによって、乱数に関する初期処理が終了する。
【００３８】
ここで、火災受信機ＲＥ１から端末機器が信号を受信し（Ｓ４１）、その受信信号のうちの受信アドレスが、端末機器の自己アドレスであれば（Ｓ４２）、火災受信機ＲＥ１に応答する必要があり、乱数記憶用ＲＡＭ７１から１つ目の乱数を読み取り、この読み取った乱数を、以下に示す乱数計算用の方程式に代入し、２つ目の乱数を発生し、この２つ目の乱数に基づいて、遅延時間を設定する（Ｓ４３）。
【００３９】
具体的には、発生した乱数は、１バイトのデータであり、この１バイトのデータを加算等することによって、４ビットのデータを求め、この求めた４ビットのデータによって、１６種類の遅延時間のうちの１つの遅延時間が設定される。
【００４０】
つまり、火災受信機ＲＥ１が送出するアドレスのうちの自己アドレスに基づいて、火災受信機ＲＥ１に呼び出されたときから、端末機器が火災受信機ＲＥ１に応答するまでの遅延時間を、上記４ビットのデータに基づいて設定する。
【００４１】
そして、火災受信機ＲＥ１から信号受信したときから、設定された遅延時間が経過した後に、火災受信機ＲＥ１へ応答信号を送出し（Ｓ４４）、発生した２つ目の乱数を、乱数記憶用ＲＡＭ７１に記憶する（Ｓ４５）。
【００４２】
一方、自己アドレス宛に火災受信機ＲＥ１から信号受信し、応答の必要がない場合（Ｓ４１〜Ｓ４２）、応答せずに、必要な処理を実行する（Ｓ５０）。その後は、上記処理（Ｓ４１〜Ｓ４５、Ｓ５０）を繰り返す。
【００４３】
ところで、上記乱数計算用の方程式（０〜１５の整数をランダムに算出するルーチン）としては、次のものが考えられる。
【００４４】
Ｘ＝ＲＮＤ１＋ＲＮＤ２
ＲＮＤ１＝ＲＮＤ２
ＲＮＤ２＝Ｘ ＭＯＤ １６
ＲＥＴＵＲＮ
なお、Ｘは、ワーク用変数であり、ＲＮＤ１、ＲＮＤ２は、乱数用の変数であり、常にＲＮＤ２に結果が格納され、上記ルーチンを実行する前に１回だけ初期値を設定する必要がある。勿論、上記乱数計算用の方程式以外の方程式を使用するようにしてもよい。
【００４５】
上記遅延時間設定においては、複数の端末機器に同一アドレスが重複して付与されている場合、同一アドレスが付与されている複数の端末機器から、それぞれ所定の遅延時間だけずれて送出されるので、同一アドレスが重複して付与されている端末機器の間で遅延時間に違いが生じていれば、火災受信機ＲＥ１からみたときに、解釈できないデータを受信したことになり、当該アドレスが重複付与アドレスであることを火災受信機ＲＥ１が認識できる。
【００４６】
図７は、上記実施例における遅延時間の説明図である。
【００４７】
図７（１）に示すように、遅延時間が同一の時間ＤＴである場合、同一アドレスｎが付与されている複数の端末機器から応答があっても、応答内容が同じである限り、火災受信機ＲＥ１は、同一アドレスが付与されていることを検出できない。
【００４８】
すなわち、平常時は、端末機器からの応答内容が同一になり、完全に重なり、１つの信号になる。しかし、図７（２）に示すように、同一アドレスｎが付与されている複数の端末機器の間で、遅延時間ＤＴ１と遅延時間ＤＴ２とのように、２つの遅延時間が互いに異なる場合、その２つの端末機器から応答があると、応答内容が同じであっても、そのアドレスｎの端末機器からの応答信号が、遅延時間の差の時間（＝ＤＴ１−ＤＴ２）だけずれるので、火災受信機ＲＥ１からみれば、解釈できないデータを受信したことになり、アドレスｎが重複付与アドレスであることを認識することができる。すなわち、この場合、火災受信機ＲＥ１側で行っているフレーミングエラーやサムチェックエラーが発生し、または、あり得ないデータによるエラー等が確実に発生し、伝送上のエラーとして検出できるので、アドレスｎが重複付与アドレス（誤応答アドレス）であることを認識することができる。
【００４９】
このように、火災受信機ＲＥ１に応答する際に、乱数に基づく遅延時間を設けることによって、複数の端末機器に同一アドレスが重複して付与されている場合、同一アドレスが付与されている複数の端末機器から、それぞれ所定の遅延時間だけずれて送出されるので、同一アドレスが重複して付与されている端末機器の間で、遅延時間に違いが生じていれば、火災受信機からみたときに解釈できないデータを受信したことになり、後述の図５のフローチャートに示すように、当該アドレスが重複付与アドレス（誤応答アドレス）であると認識させることができる。
【００５０】
図３は、火災報知設備ＦＡ１に使用されている火災受信機ＲＥ１を示すブロック図である。
【００５１】
火災受信機ＲＥ１は、ＣＰＵ（セントラルプロセッサユニット）８０と、ＲＯＭ８１と、ＲＡＭ８２と、操作部９１と、操作部ＩＦ９２と、データベース９３と、表示部用ドライバ９４と、表示部９５と、送受信部ＬＣ１、ＬＣ２、ＬＣ３、ＬＣ４、…ＬＣ１２（図１の１〜１２系統に対応している）とを有する。
【００５２】
操作部９１は、ＬＣＤのタッチパネルであり、表示部９５は、ＬＣＤである。
【００５３】
送受信部ＬＣ１、ＬＣ２、ＬＣ３、ＬＣ４、…、ＬＣ１２は、伝送線３−１〜３−１２を介して複数の端末機器と信号伝送を行うものであり、複数の端末機器をアドレスによって呼び出して、応答信号等を受信する。
【００５４】
第１の送受信部ＬＣ１には、第１の伝送線（回線）３−１が接続され、端末機器ＳＥ１〜ＳＥ５、ＳＣＩ、Ｃ１〜Ｃ８、が接続される。
【００５５】
同様に、第２〜１２の送受信部ＬＣ２〜ＬＣ１２には、第２〜１２の伝送線（回線）３−２〜３−１２が接続され、図１には示さないが、端末機器が接続される。
【００５６】
データベース９３には、回線情報と、端末機器情報とが格納されている。上記回線情報は回線番号であり、上記端末機器情報はアドレスであり、種別（機器の種別）であり、たとえば、アドレス毎に対応させて格納されている。
【００５７】
ＣＰＵ８０は、送受信部ＬＣ１〜ＬＣ１２を介して、回線に接続されている火災感知器等の各端末機器を、そのアドレスを指定して呼び出し、応答信号を受信することによって、その端末機器の情報を常時収集し、この収集の結果、収集した情報が異常（誤応答）である端末機器を発見した場合、ＲＡＭ８２の誤応答に関する情報を保存するエリアに、その端末機器の情報（端末機器のアドレス）を記憶すると共に、端末機器のアドレスと誤応答したことを表示部９５に表示する。
【００５８】
次に、所定回数内に複数回の誤応答が検出されると、アドレス重複と判断する。つまり、応答信号が異常な場合としては、単にノイズ等によって応答信号が異常となることが考えられ、１回のみではアドレス重複によるものと判断しない。
【００５９】
そして、ＲＡＭ８２のアドレス重複に関する情報を保存するエリアに、その端末機器の情報（端末機器のアドレス）を記憶すると共に、誤応答の表示からアドレス重複表示に切り替え、また、図４に示すように、確認灯ボタン９５Ｂを表示する。
【００６０】
図４は、実施例１における重複アドレスを表示する画面例を示す図である。
【００６１】
この画面例では、アドレス「２」の感知器ＳＥ２が、誤応答の表示からアドレス重複の表示に切り替え表示された例であり、また、アドレス「４」の感知器ＳＥ４が無応答であるとして表示されている。この無応答は、アドレスを指定して呼び出したときに、応答信号を受信できないことを示す。ここで、データベース９３に設定されている感知器ＳＥ４のアドレスと、感知器ＳＥ４のＥＥＰＲＯＭ２２に設定されている自己アドレスとが一致していないことが考えられ、つまり、感知器ＳＥ２のアドレスが感知器ＳＥ４にも設定され、アドレス重複になっていると推測することもできる。
【００６２】
この確認灯ボタン９５Ｂの操作によって、そのアドレスを指定した点灯信号が送出され、対応するアドレスの端末機器が受信して、その確認灯５１を点灯させる。
【００６３】
端末機器からの誤応答信号を、約８００秒間に２回以上検出できるので、８００秒間に２回検出すると、重複アドレスを検出したと判断し、火災受信機ＲＥ１の表示部９５に、そのアドレスと「重複」という文字とを表示する。その後に、誤応答信号がＯＦＦしても「重複」表示を保持する。
【００６４】
重複アドレスの検出が確定されると、表示操作部９５に、確認灯ボタン９５Ｂを表示する。この確認灯ボタン９５Ｂを操作すると、確認灯点灯信号を重複したアドレスの端末機器に送信することによって、端末機器に設けられている確認灯（ＬＥＤ）５１が点灯する。
【００６５】
アドレスが重複している端末機器を探すときに、中継器盤に納められている中継器であれば、確認灯が点灯している中継器を探せばよく、感知器の場合には、天井に取り付けられた状態で確認灯の点灯を確認すればよい。したがって、１つ１つ取り外してアドレスを確認する手間が不要となり、作業時間が短縮される。
【００６６】
「重複」表示を回復する場合、約８００秒間に１度も誤応答信号が検出されなかったときに、「重複」表示を回復する。
【００６７】
なお、上記８００秒は、端末機器伝送周期が、１周で約８０秒かかり、１０周で８００秒であり、これと同じ秒数である。
【００６８】
次に、上記実施例の動作について説明する。
【００６９】
図５は、実施例１における動作を示すフローチャートである。
【００７０】
Ｓ１で、平常監視し、つまり、各端末機器との間で、アドレスに基づく信号伝送によって応答信号を受信する動作を行い、Ｓ２で、誤応答が検出されると、Ｓ３で、８００秒間以内に２回検出したかどうかを判断する。
【００７１】
上記２回検出したとの判断は、下記（１）、（２）のケースがあり、また、その場合、下記「重複」の表示がなされる。
【００７２】
（１）１周８０秒を１０周（８００秒）を検出する間に、たとえば、誤応答→誤応答回復（正常な応答信号）→誤応答と繰り返された場合、つまり、誤応答が２回以上検出された場合、火災受信機の表示部９５にアドレスと共に「重複」を表示する。誤応答は毎周検出されるわけではなく、重複している機種によっては、誤応答が回復する場合がある。
【００７３】
（２）１０周８００秒間に誤応答が回復することなく８００秒間検出され続けた場合、火災受信機に「重複」を表示する。
【００７４】
複数のアドレスが重複して付与されている場合、各重複アドレスを全て表示する。
【００７５】
Ｓ４で、表示部９５に、確認灯ボタン９５Ｂを表示する。
【００７６】
Ｓ５で、確認灯ボタン９５Ｂを操作すると、Ｓ６で、アドレス重複している端末機器の確認灯５１（ＬＥＤ）が点灯する。Ｓ７で、オペレータは、確認灯５１を見ながら、アドレスが重複している端末機器を捜索し、Ｓ８で、アドレスが重複している端末機器を発見すると、Ｓ９で、上記確認スイッチ（確認灯ボタン９５Ｂ）を再操作する。Ｓ９におけるスイッチ再操作によって、Ｓ１０で、アドレス重複している端末機器の確認灯５１が消灯する。
【００７７】
そして、Ｓ１１で、設定の間違っていたＥＥＰＲＯＭ２２内のアドレスを変更する。
【００７８】
確認灯５１の点灯操作は、表示部９５において、重複表示されたアドレスの端末機器に確認灯ボタン９５Ｂが表示されるので、上記ボタン９５Ｂを操作した後に（図４のボタン９５Ｂの背景は白から赤に変化した後に）、重複アドレスが付与されている端末機器の確認灯５１が点灯し、ボタン９５Ｂを再度操作すると確認灯５１は消灯する（ボタン９５Ｂの背景は赤から白に変化する）。
【００７９】
上記実施例において、制御手段（ＣＰＵ８０）は、所定回数の呼出に対して複数回の誤応答があるときに、アドレス重複であるとして、そのアドレスを表示手段（表示部９５）に表示する。また、制御手段は、上記アドレスを指定する指定手段（確認灯ボタン９５Ｂ）を再操作することによって、そのアドレスについて、表示灯（ここでは確認灯５１を用いる）の消灯信号を伝送回路（送受信部ＬＣ１〜ＬＣ１２）から送信し、そのアドレスに設定されている端末機器は、表示灯の消灯信号を受信し、表示灯を消灯する。
【００８０】
上記実施例は、伝送線を介した火災受信機と複数の端末機器とからなる火災報知設備において、上記火災受信機は、各端末機器との間で、アドレスに基づく信号伝送を行う伝送回路としての送受信部ＬＣ１〜ＬＣ１２と、信号の誤応答が複数回あることを認識すると、この複数回誤応答したアドレスを重複アドレスであると判別し、この重複アドレスを表示手段としての表示部９５に表示させる制御手段としてのＣＰＵ８０と、アドレスを指定するアドレス指定手段としての確認灯ボタン９５Ｂとを有し、上記制御手段は、上記表示手段に表示されている重複アドレスが、上記アドレス指定手段を介して指定されたときに、この指定された重複アドレスが付与されている端末機器の表示灯としての確認灯５１を点灯させる点灯信号を、上記伝送回路から送信する手段であり、上記端末機器は、自己に付与されているアドレスに対応する上記点灯信号を受信し、表示灯を点灯する表示灯点灯手段を有する機器である。
【００８１】
また、上記制御手段は、所定回数の呼出に対して複数の誤応答があるときに、重複アドレスであると判別する手段である。
【００８２】
また、上記制御手段は、アドレス指定手段を介して、上記アドレスが再指定されると、この再指定されたアドレスが付与されている端末機器の表示灯を消灯させる消灯信号を、上記伝送回路を介して送信する手段であり、上記端末機器は、自己に付与されているアドレスに対応する上記消灯信号を受信すると、上記表示灯を消灯する手段を有する。
【図面の簡単な説明】
【００８３】
【図１】本発明の実施例１である火災受信機ＲＥ１を含む火災報知設備ＦＡ１のシステム構成を示すブロック図である。
【図２】火災報知設備ＦＡ１に使用されている光電式スポット型感知器ＳＥ２を示すブロック図である。
【図３】火災報知設備ＦＡ１に使用されている火災受信機ＲＥ１を示すブロック図である。
【図４】実施例１における重複アドレスを表示する画面例を示す図である。
【図５】実施例１における動作を示すフローチャートである。
【図６】遅延時間設定について説明するためのマイクロプロセッサ１０の動作を示すフローチャートである。
【図７】遅延時間の説明図である。
【符号の説明】
【００８４】
ＦＡ１…火災報知設備、
ＲＥ１…火災受信機、
ＳＥ２…光電式スポット型感知器、
５１…確認灯、
９１…操作部、
９５…表示部、
９５Ｂ…確認灯ボタン。
【図１】
2007317046.tif 000003
【図２】
2007317046.tif 000004
【図３】
2007317046.tif 000005
【図４】
2007317046.tif 000006
【図５】
2007317046.tif 000007
【図６】
2007317046.tif 000008
【図７】
2007317046.tif 000009